(57)【特許請求の範囲】
【請求項１】
交流電圧が入力され、この交流電圧が切断されたことを表す交流電圧切断信号を出力する交流電圧切断検出回路において、
前記交流電圧を整流する整流器と、
前記整流器の出力を矩形波に変換する第１の波形整形部と、
前記整流器の出力が入力され、この整流器の出力を矩形波に変換すると共に、その幅および極性が前記第１の波形整形部と異なる信号を出力する第２の波形整形部と、
前記第１、および第２の波形整形部の出力を合成するゲートと、
前記ゲートの出力信号が入力され、この信号によってリセットされると共に、所定の時間でタイムアップし、タイムアップすると交流電圧切断信号を有効にするタイマと、
を具備したことを特徴とする交流電圧切断検出回路。
【請求項２】
交流電圧が入力され、この交流電圧を直流電圧に変換して負荷に供給する電源装置であって、
前記交流電圧が入力され、その出力が前記負荷に出力される、請求項１に記載の交流電圧切断検出回路を具備したことを特徴とする電源装置。
【発明の詳細な説明】
【技術分野】
【０００１】
本発明は、交流入力電圧が切断されたことを検出する回路およびそれを用いた電源装置に関し、交流入力電圧が切断されたことを高速で検出することができ、かつ遅延時間が入力交流電圧に依存しない交流電圧切断検出回路およびそれを用いた電源装置に関するものである。
【背景技術】
【０００２】
図７に、交流入力電圧が切断されたことを検出する機能を具備し、交流電力を直流電力に変換する電源装置およびこの電源装置によって電力が供給される負荷回路の構成を示す。図７において、電源プラグ１０から入力された交流電圧は整流器１１で全波整流され、電源回路１２で電圧変換あるいは平滑されて負荷回路１３に供給される。
【０００３】
負荷回路１３にマイコン等が用いられている場合には、電源電圧が低下する前にデータのバックアップ等の処理を行わなければならない。このため、入力される交流の電圧を監視し、この交流電圧が切断されたことをいち早く検出して負荷回路１３に知らせる交流電圧切断検出回路が備わっている。
【０００４】
交流電圧切断検出回路は、抵抗１４および１５、コンデンサ１６、基準電源１７、およびコンパレータ１８で構成される。整流器１１の出力電圧は抵抗１４と１５で分圧され、この分圧された電圧はコンパレータ１８に入力されて、基準電源１７の出力電圧と比較される。コンデンサ１６は、抵抗１５両端の電圧のリップルを除去するために用いられる。
【０００５】
入力される交流が正常に印加されるときは、抵抗１４と１５で分圧された電圧（コンパレータ１８の入力電圧）は基準電源１７の出力電圧より高くなり、コンパレータ１８の出力は高レベルになる。交流電圧が切断されてコンパレータ１８の入力電圧が基準電源１７の出力電圧より低くなると、その出力は低レベルに変化する。負荷回路１３はコンパレータ１８の出力信号の低レベルを検出すると、データバックアップなどの作業を行って電圧切断に備える。
【０００６】
次に、図８を用いて交流電圧切断検出回路の動作を説明する。図８において、（Ａ）は電源プラグ１０から入力される交流電力の電圧波形、（Ｂ）はコンパレータ１８の入力電圧の波形、（Ｃ）は基準電源１７の出力電圧、（Ｄ）はコンパレータ１８の出力電圧、（Ｅ）は電源回路１２の出力、すなわち負荷回路１３に供給される直流電圧である。
【０００７】
時刻ｔ１で交流電圧が切断されたとする。（Ｂ）に示すように、コンパレータ１８の入力電圧は時刻ｔ１から徐々に低下する。しかし、（Ｅ）に示すように、この時点では電源回路１２の出力電圧は一定値を維持する。また、（Ｃ）に示すように、基準電源１７の出力電圧も一定値を維持する。
【０００８】
時刻ｔ２でコンパレータ１８の入力電圧が基準電源１７の出力電圧よりも低くなると、（Ｄ）に示すようにコンパレータ１８の出力電圧は低レベルに変化する。負荷回路１３はデータバックアップ等電源電圧低下に備えた処理を開始する。
【０００９】
（Ｅ）に示すように、電源回路１２の出力電圧は時刻ｔ３まで一定値を維持し、その後低下を始める。負荷回路１３は、（ｔ３−ｔ２）の時間内にバックアンプ等の処理を完了し、電源電圧が動作電圧範囲以下に低下なると、機能を停止する。
【００１０】
特許文献１には、図７と同様な構成の電源監視装置が記載されている。特許文献１では、平滑用コンデンサに並列に抵抗を接続し、この抵抗で分圧された電圧を検出することにより、電源スイッチのオフを検出するようにする。平滑用コンデンサに充電された電荷はこの並列接続された抵抗によっても放電されるので、従来例に比べてより早く電源スイッチのオフを検出することができる。
【先行技術文献】
【特許文献】
【００１１】
【特許文献１】特開平６−２９６３６７号公報
【発明の概要】
【発明が解決しようとする課題】
【００１２】
しかしながら、このような交流電圧切断検出回路には、次のような課題があった。図７の電源装置では、交流電圧切断を確実に検出するために、抵抗１４と１５およびコンデンサ１６によって決定される時定数を、入力される交流電圧の周波数より長く設定しなければならない。このため、この時定数のためにコンパレータ１８に入力される電圧の変化が遅延して切断検出が遅れ、バックアップ等に必要な時間を確保することが困難になるという課題があった。特許文献１の発明でも、コンデンサ３と抵抗４で決まる時定数を大きくしなければならないので、同様な課題があった。
【００１３】
また、整流器１１の出力電圧を分圧した電圧を基準電源と比較しているので、入力される交流電圧が高くなると、検出遅延時間も長くなる。機器によっては交流電圧を１００Ｖから２４０Ｖまでの広い電圧範囲に対応する必要があるので、切断検出がさらに遅れてしまうという課題もあった。
【００１４】
本発明の目的は、交流入力電圧が切断されたことを高速で検出することができ、かつ入力電圧に依存しない交流電圧切断検出回路およびそれを用いた電源装置を実現することにある。
【課題を解決するための手段】
【００１５】
このような課題を達成するために、本発明のうち請求項１記載の発明は、
交流電圧が入力され、この交流電圧が切断されたことを表す交流電圧切断信号を出力する交流電圧切断検出回路において、
前記交流電圧を整流する整流器と、
前記整流器の出力を矩形波に変換する第１の波形整形部と、
前記整流器の出力が入力され、この整流器の出力を矩形波に変換すると共に、その幅および極性が前記第１の波形整形部と異なる信号を出力する第２の波形整形部と、
前記第１、および第２の波形整形部の出力を合成するゲートと、
前記ゲートの出力信号が入力され、この信号によってリセットされると共に、所定の時間でタイムアップし、タイムアップすると交流電圧切断信号を有効にするタイマと、
を具備したものである。交流電圧が切断されたことを高速で検出できる。
【００１８】
請求項２記載の発明は、
交流電圧が入力され、この交流電圧を直流電圧に変換して負荷に供給する電源装置であって、
前記交流電圧が入力され、その出力が前記負荷に出力される、請求項１に記載の交流電圧切断検出回路を具備したものである。交流電圧の切断を高速で検出できるので、バックアップ等の時間を長くとることができる。
【発明の効果】
【００１９】
本発明によれば以下のような効果がある。
請求項１、２、および３の発明によれば、入力される交流電圧を整流して矩形波に変換し、この矩形波信号でタイマをリセットして、このタイマがリセットされなくなり所定の時間でタイムアップすると、交流電圧切断信号を有効にするようにした。
【００２０】
タイマを用いて交流電圧が切断されてからの時間を計測して交流電圧切断信号を有効にするようにしたので、最悪でも交流電圧の１周期程度の遅延で交流電圧が切断されたことを検出することができるという効果がある。
【００２１】
また、電圧の大きさではなく時間で交流電圧が切断されたことを検出するので、交流電圧が高くなっても遅延時間が長くなることがないという効果もある。従って、１００〜２４０Ｖという広い電圧範囲で良好な特性を得ることができる。
【００２２】
さらに、この交流電圧切断検出回路を電源装置に用いると、データのバックアップ等に使用できる時間を長くとることができるという効果もある。
【図面の簡単な説明】
【００２３】
【図１】本発明の実施例１を示した構成図である。
【図２】実施例１の動作を説明するための特性図である。
【図３】本発明の実施例２を示した構成図である。
【図４】実施例２の動作を説明するための特性図である。
【図５】本発明の実施例３を示した構成図である。
【図６】実施例３の動作を説明するための特性図である。
【図７】従来の電源装置の構成図である。
【図８】従来の電源装置の動作を説明するための特性図である。
【発明を実施するための形態】
【００２４】
以下本発明を、図面を用いて詳細に説明する。
【実施例１】
【００２５】
図１は本発明に係る交流電圧切断検出回路の実施例１を示した構成図である。なお、図７と同じ要素には同一符号を付し、説明を省略する。また、電源回路１２と負荷回路１３は交流電圧切断検出回路を構成する要素ではない。
【００２６】
図１において、２０は波形整形部であり、整流器１１の出力電圧波形を矩形波に変換して出力する。波形整形部２０は、抵抗２１、電圧制限回路２２、基準電圧を出力する基準電源２３、およびコンパレータ２４で構成される。波形整形部２０は第１の波形整形部に相当する。
【００２７】
電圧制限回路２２には抵抗２１を介して整流器１１の出力電圧が入力され、この入力された電圧を一定値以下に制限した信号を出力する。電圧制限回路２２としては、例えばツェナダイオードを用いることができる。
【００２８】
コンパレータ２４の非反転入力端子には電圧制限回路２２の出力信号が入力され、反転入力端子には基準電源２３の出力電圧が入力される。コンパレータ２４は、電圧制限回路２２の出力電圧が基準電源２３の出力電圧より大きいとその出力を高レベルにし、小さいと低レベルにする。この結果、整流器１１の出力波形は矩形波に変換される。
【００２９】
２５はタイマであり、コンパレータ２４の出力信号、すなわち波形整形部２０の出力信号が入力され、負荷回路１３に交流電圧切断信号を出力する。タイマ２５は常時動作しており、コンパレータ２４の出力信号でリセットされる。
【００３０】
２６はダイオードであり、そのアノードは整流器１１に、カソードは電源回路１２に接続される。抵抗２１の一端は、整流器１１とダイオード２６のアノードとの接続点に接続される。
【００３１】
整流器１１は入力交流電圧を全波整流するので、その出力電圧波形は入力交流電圧を０Ｖの点で折り返した波形になる。この波形は電源回路１２内部のコンデンサによって平滑され、直流電圧に変換される。
【００３２】
電圧制限回路２２は、入力交流電圧の０Ｖ付近の電圧を検出する必要があるので、ダイオード２６を挿入する。ダイオード２６は、整流器１１の出力電圧が低下したときに電源回路１２から流出する電流を阻止し、整流器１１の出力電圧波形そのものが電圧制限回路２２に入力されるようにする。
【００３３】
次に、図２を用いて実施例１の動作を説明する。図２（Ａ）は入力交流電圧の波形、（Ｂ）は電圧制限回路２２の出力信号の波形、（Ｃ）はコンパレータ２４の出力信号の波形、（Ｄ）はタイマ２５が計測する時間、（Ｅ）はタイマ２５の出力信号である交流電圧切断信号の波形、（Ｆ）は電源回路１２の出力電圧、すなわち負荷回路１３に供給される直流電圧の波形である。
【００３４】
時刻ｔ１０までは、整流器１１には交流電圧が正常に印加される。整流器１１はこの交流を全波整流するので、その出力波形は入力される交流波形をゼロ点でプラス側に折り返した波形になる。ダイオード２６によって電源回路１２内の平滑コンデンサと整流器１１は切り離されるので、電圧制限回路２２にはこの折り返された波形が入力される。
【００３５】
電圧制限回路２２は入力された信号を一定値以下に制限するので、その出力波形は（Ｂ）に示すように、上側がカットされた波形になる。コンパレータ２４は、この波形が基準電源２３の出力電圧以上になるとその出力を高レベルにし、出力電圧以下になるとその出力を低レベルにする。従って、その出力信号は（Ｃ）に示すように矩形波になる。
【００３６】
コンパレータ２４の出力信号はタイマ２５に入力される。タイマ２５は、入力信号が高レベルのときは０にリセットされ、低レベルのときは時間を計測し、この計測した時間が所定の値になるとタイムアップする。また、タイマ２５は、タイムアップしないときはその出力信号を高レベル（無効）にし、タイムアップすると出力信号を低レベル（有効）にする。タイムアップする時間は、入力される交流電圧の周期の１／２程度あるいはそれ以下に設定される。
【００３７】
図２（Ａ）〜（Ｃ）から明らかなように、コンパレータ２４の出力信号は入力交流電圧の周期の１／２の周期を有する矩形波である。従って、タイマ２５は入力交流電圧の周期の１／２の周期で、この１／２周期の大部分の間０にリセットされる。このため、タイマ２５が計測する時間はわずかであり、タイムアップしない。
【００３８】
時刻ｔ１０で入力交流電圧が切断されると整流器１１の出力は０になり、コンパレータ２４の出力信号も０になる。タイマ２５はリセットされなくなるので計測時間は長くなり、時刻ｔ１１でタイムアップする（○印）。このため、その出力信号は低レベルに遷移して、交流電圧切断信号が有効になる。
【００３９】
（Ｆ）に示すように、電源回路１２の出力電圧は時刻ｔ１２で低下し始める。負荷回路１３は、タイマ２５の出力信号が有効（低レベル）になるとデータバックアップなどの処理を開始し、電源電圧が動作可能電圧範囲を下回ると、動作を停止する。
【００４０】
図７従来例では、抵抗１４、１５およびコンデンサ１６による時定数のために、コンパレータ１８の出力信号には、入力交流電圧の１周期以上の遅れが発生する。このため、バックアップなどの時間を充分に確保することが困難であるという課題があった。
【００４１】
実施例１では、交流電圧が切断されるとコンパレータ２４の出力が低レベルになり、タイマ２５がリセットされなくなる。このため、タイマ２５は交流電圧の周期の１／２以下の時間でタイムアップし、交流電圧切断信号が有効になる。その結果、高速で入力交流電圧が切断されたことを検出することができる。
【００４２】
また、交流電圧が切断されてからの時間を計測して交流電圧切断信号を出力するので、入力される交流電圧が高くなっても、交流電圧切断信号の遅延時間が増加することはない。コンパレータ１８は整流器１１の出力を矩形波に変換するために用いているだけであり、交流電圧切断信号の遅延時間には影響しない。
【実施例２】
【００４３】
図３に、本発明に係る交流電圧切断検出回路の実施例２の構成を示す。なお、図１と同じ要素には同一符号を付し、説明を省略する。この実施例は、交流電圧が切断されたことを更に高速に検出できるようにしたものである。
【００４４】
図３において、３２はコンパレータであり、その反転入力端子には、抵抗３０を介して整流器１１の出力電圧が入力される。抵抗３０、基準電源３１とコンパレータ３２で第２の波形整形部を構成している。
【００４５】
３１は基準電源であり、基準電圧をコンパレータ３２の非反転入力端子に出力する。３３は負論理のオアゲートであり、コンパレータ２４と３２の出力が入力され、その出力はタイマ２５に出力される。オアゲート３３はゲートに相当する。タイマ２５は、このオアゲート３３の出力によりリセットされる。なお、基準電源３１の出力電圧は、基準電源２３の出力電圧より高くなるように設定される。
【００４６】
次に、図４を用いて実施例２の動作を説明する。図４において、（Ａ）は入力される交流電圧の波形、（Ｂ）は電圧制限回路２２の出力波形、（Ｃ）はコンパレータ２４の出力波形、（Ｇ）はタイマ２５の出力信号である交流電圧切断信号、（Ｈ）は電源回路１２の出力電圧であり、図２と同じものである。
【００４７】
（Ｄ）はコンパレータ３２の出力信号の波形である。コンパレータ３２の反転入力端子には整流器１１の出力が入力され、かつ非反転入力端子に入力される電圧は、基準電源２３の出力電圧より高く設定されているので、その出力はコンパレータ２４の出力が高レベルの期間の一部で低レベルになる。
【００４８】
（Ｅ）はオアゲート３３の出力波形である。オアゲート３３は、２つの入力端子に印加される信号のどちらかが低レベルになったときに、その出力を低レベルにする。オアゲート３３にはコンパレータ２４と３２の出力が入力されるので、コンパレータ２４の高レベルの期間は、コンパレータ３２の低レベルの期間で２つに分割される。このため、タイマ２５は、実施例１に比べて２倍の頻度でリセットされる。
【００４９】
すなわち、抵抗３０とコンパレータ３２で構成される第２の波形整形部の出力の幅および極性を波形整形部２０の出力と異ならせ、これらの波形整形部の出力をゲートで合成することにより、実施例１の倍の頻度でタイマをリセットする信号を生成できる。コンパレータ２４と３２の出力波形の関係は、上記の関係を満たせば、任意に選択することができる。また、これらの関係により、適切なゲートを選択する。
【００５０】
交流電圧が正常に印加される時刻ｔ２０までは、リセットの頻度が倍になることを除くと、実施例１の動作と同じである。時刻ｔ２０で交流電圧が切断されるとリセットされなくなり、時刻ｔ２１でタイマ２５がタイムアップして交流電圧切断信号が有効（低レベル）になる。
【００５１】
前述したように、この実施例２ではリセットの頻度が倍になるので、タイマ２５がタイムアップする時間を実施例１の半分にすることができる。このため、交流電圧が切断されてから交流電圧切断信号が有効になるまでの時間を、交流電圧の周期の１／４程度あるいはそれ以下にすることができる。
【００５２】
なお、実施例１、実施例２では、整流器１１の出力を波形整形部２０に入力するようにしたが、入力交流電圧を整流する整流器を整流器１１とは別に設け、この整流器の出力を波形整形部２０に入力するようにしてもよい。このようにすると、ダイオード２６を省略することができる。
【００５３】
また、入力交流電圧を整流器１１で全波整流して波形整形部２０に入力するようにしたが、入力される交流電圧を半波整流した電圧を入力するようにしてもよい。半波整流はマイナス側を折り返さずカットするので、タイマ２５のタイムアップ時間を、入力される交流電圧の周期程度あるいはそれ以下にセットすればよい。タイマ２５をリセットする頻度が半分になるので切断検出信号の応答性が悪化するが、それでも入力交流電圧の１周期程度（実施例２では１／２周期程度）の応答性を得ることができる。
【００５４】
また、電圧制限回路２２はコンパレータ２４に高圧が印加されないようにするためのものであり、必須な要素ではない。さらに、波形整形部２０の構成は、図１あるいは図３とは異なっていてもよい。要は、入力交流電圧を整流した信号を矩形波に変換する構成であればよい。
【実施例３】
【００５５】
図５に、本発明に係る交流電圧切断検出回路の実施例３の構成を示す。なお、図１と同じ要素には同一符号を付し、説明を省略する。
【００５６】
図５において、４１はフォトカプラであり、ＬＥＤ４１ａおよびフォトトランジスタ４１ｂで構成される。４２はフォトカプラであり、ＬＥＤ４２ａおよびフォトトランジスタ４２ｂで構成される。
【００５７】
ＬＥＤ４１ａのアノードとＬＥＤ４２ａのカソード、ＬＥＤ４１ａのカソードとＬＥＤ４２ａのアノードは共通接続される。電源プラグ１０の一方とＬＥＤ４１ａのアノードとの間には抵抗４０が接続され、ＬＥＤ４１ａのカソードは電源プラグ１０の他方に接続される。すなわち、ＬＥＤ４１ａと４２ａは、互いに逆極性で並列接続され、交流電圧が印加される。
【００５８】
フォトトランジスタ４１ｂと４２ｂのコレクタは共通接続され、この接続点と電源回路１２の一方の出力端子は、抵抗４３を介して接続される。フォトトランジスタ４１ｂと４２ｂのエミッタは共通接続され、この接続点は電源回路１２の他方の出力端子に接続される。すなわち、フォトトランジスタ４１ｂと４２ｂは並列に接続され、抵抗４３でプルアップされる。
【００５９】
４４はタイマであり、フォトトランジスタ４１ｂのコレクタ、およびエミッタの電圧が入力される。このタイマ４４の出力信号は、交流電圧切断検出信号として負荷回路１３に出力される。タイマ４４は常時動作しており、入力信号の低レベルでリセットされる。また、所定の時間でタイムアップする。この所定の時間は、入力される交流電圧の周期の１／２程度、あるいはそれ以下に設定される。
【００６０】
タイマ４４は、負荷回路１３に交流電圧切断信号を出力する。タイマ４４は、タイムアップしていないときは交流電圧切断信号を高レベル（無効）にし、タイムアップすると低レベル（有効）にする。
【００６１】
次に、図６に基づいてこの実施例３の動作を説明する。図６において、（Ａ）は入力される交流電圧の波形、（Ｂ）はタイマ４４の入力信号の波形、（Ｃ）はタイマ４４の時間計測値、（Ｄ）はタイマ４４の出力信号である交流電圧切断信号の波形、（Ｅ）は電源回路１２の出力電圧である。
【００６２】
（Ａ）に示すように、時刻ｔ３０までは交流電圧は正常に入力されている。入力される交流電圧がＬＥＤ４１ａ、４２ａの順方向電圧で決まる所定の値以上になると、ＬＥＤ４１ａ、４２ａは発光し、フォトトランジスタ４１ｂ、４２ｂがオンになる。（Ｂ）に示すようにタイマ４４の入力信号は低レベルになり、（Ｃ）に示すようにタイマ４４はリセットされる。このため、タイマ４４がタイムアップすることはなく、負荷回路１３に出力される交流電圧切断信号は高レベルを維持する（（Ｄ）参照）。
【００６３】
なお、ＬＥＤ４１ａと４２ａは逆極性で並列接続されているので、交互に発光する。図５の構成では、入力される交流電圧が正の時はＬＥＤ４１ａが発光し、負の時はＬＥＤ４２ａが発光する。
【００６４】
時刻ｔ３０で交流電圧が切断されると、ＬＥＤ４１ａ、４２ａには電流が流れず、発光しなくなる。このため、フォトトランジスタ４１ｂ、４２ｂはいずれもオフになり、（Ｂ）に示すようにタイマ４４の入力信号は高レベルを維持する。このため、タイマ４４はリセットされなくなり、時刻ｔ３１でタイムアップする（（Ｃ）参照）。
【００６５】
タイマ４４がタイムアップすると、（Ｄ）に示すようにタイマ４４の出力信号、すなわち交流電圧切断信号は有効（低レベル）になる。負荷回路１３は、電源回路１２の出力電圧が低下するｔ３２までに、データバックアップ等の必要な処理を行う。
【００６６】
この第２の実施例でも、タイマ４４は入力される交流電圧の周期の１／２の周期でリセットされ、交流電圧が切断されるとリセットされなくなり、タイムアップする。タイマ４４のタイムアップ時間を入力交流電圧の周期の１／２程度あるいはそれ以下にすることにより、１／２周期内に交流電圧切断信号を有効にすることができる。
【００６７】
一般に、電源装置では１次側と２次側を電気的に絶縁する必要があることが多い。この実施例３はフォトカプラを用いているので、交流電圧が入力される１次側と、負荷回路１３が接続される２次側を電気的に絶縁することができるという利点がある。また、ダイオード２６を省略することができる。
【００６８】
なお、図５では２つのフォトカプラを用い、タイマ４４を入力される交流電圧周期の１／２でリセットするようにしたが、フォトカプラを１つのみ用いるようにしてもよい。このようにすると交流電圧の１周期毎にリセットされるので、交流電圧切断信号の遅延時間が長くなるが、それでも交流電圧の１周期程度の遅れで交流電圧切断信号を有効にできる。
【００６９】
また、実施例３ではフォトカプラを用いたが、フォトＭＯＳリレーであってもよい。本発明のフォトカプラには、フォトＭＯＳリレーも含まれるものとする。
【００７０】
さらに、実施例３では電源プラグ１０から入力される交流電圧を直接フォトカプラに入力するようにしたが、フォトカプラに高圧が印加されないように電圧制限回路等を設けてもよい。要は、交流電圧を関連する信号をフォトカプラに入力するようにすればよい。
【００７１】
なお、実施例１〜実施例３では交流電圧が瞬断し、すぐに復帰したときも同じように交流電圧切断信号が低レベルになる。瞬断と切断を区別したいときは、負荷回路１３で交流電圧切断信号が短時間で複数回低レベルになったかどうかで判定すればよい。
【００７２】
また、実施例１〜３では、交流電圧切断検出回路を、交流電力を直流電力に変換する電源装置に用いたが、他の装置に適用することもできる。
【符号の説明】
【００７３】
１０  電源プラグ
１１  整流器
１２  電源回路
１３  負荷回路
２０  波形整形部
２１、３０、４０、４３  抵抗
２２  電圧制限回路
２３、３１  基準電源
２４、３２  コンパレータ
２５、３４、４４  タイマ
２６  ダイオード
３３  オアゲート
４１、４２  フォトカプラ
４１ａ、４２ａ  ＬＥＤ
４１ｂ、４２ｂ  フォトトランジスタ
【図１】
0005601490.tif 000002
【図２】
0005601490.tif 000003
【図３】
0005601490.tif 000004
【図４】
0005601490.tif 000005
【図５】
0005601490.tif 000006
【図６】
0005601490.tif 000007
【図７】
0005601490.tif 000008
【図８】
0005601490.tif 000009